(57)【要約】【課題】クリスマスの時期に菓子等を収容して販売することで、クリスマスの雰囲気を盛り上げ、販売促進に繋げることを狙ったパッケージを提供する。【解決手段】上方に開口１５を有する下方容器１０と、中空の円錐状で下方に開口２５を有する上方コーン部材２０と、上方コーン部材２０と下方容器１０とを連結する連結部材３０と、を備えるパッケージ。上方コーン部材２０は、頂部２１を上に向けた状態で、裾部２２が下方容器の開口１５の外径よりも外側に位置するように、連結部材３０で下方容器１０に連結されている。このパッケージは、クリスマスツリーのごとき外観を構成し、したがって、店頭その他適宜の場所に陳列することで、クリスマスの雰囲気を盛り上げるとともに、販売促進に繋げることができる。【選択図】図１
2019218080.tif 000002
【特許請求の範囲】
【請求項１】
底壁および周壁を有するとともに上方に開口（１５）を有する下方容器（１０）と、
中空の円錐状で下方に開口（２５）を有する上方コーン部材（２０）と、
上方コーン部材（２０）と下方容器（１０）とを連結する連結部材（３０）と、を備えるパッケージであって、
上方コーン部材（２０）は、頂部（２１）を上に向けた状態で、裾部（２２）が下方容器の開口（１５）の外径よりも外側に位置するように、連結部材（３０）で下方容器（１０）に連結されている、パッケージ。
【請求項２】
上記上方コーン部材（２０）および下方容器（１０）の少なくとも一方の外周面には、所定の絵柄が表示されている、請求項１記載のパッケージ。
【請求項３】
内部の空気流に起因して音が鳴る細長い棒状の笛部（５１）と、当該笛部よりも大径の頭部（５２）とを有するサウンドスティック（５０）をさらに備える、請求項１または２記載のパッケージであって、
上記上方コーン部材の頂部（２１）が挿通孔とされていて、サウンドスティック（５０）は、棒状の笛部（５１）を当該貫通孔（２１）に上方から挿通した状態で、上方コーン（２０）に保持されている、パッケージ。
【請求項４】
外装フィルムで覆われている、請求項１〜３のいずれか１つに記載のパッケージ。
【発明の詳細な説明】
【技術分野】
【０００１】
本発明は、クリスマスの時期に販売される菓子類のパッケージに関する。
【背景技術】
【０００２】
クリスマスその他のイベントがある時期には、イベント内容に沿ったパッケージに菓子類を入れて販売することで、クリスマスの雰囲気を盛り上げ、販売促進効果に繋げることが広く行われている。
例えば、特許文献１に開示される食品収納容器では、クリスマスケーキを収容するパッケージに、サンタクロース形のポップアップが設けられている。
【先行技術文献】
【特許文献】
【０００３】
【特許文献１】特開２０００−１８５７７８号公報
【発明の概要】
【発明が解決しようとする課題】
【０００４】
本発明の目的は、クリスマスの時期に菓子等を収容して販売することで、クリスマスの雰囲気を盛り上げ、販売促進に繋げることを狙ったパッケージを提供することである。
【課題を解決するための手段】
【０００５】
本発明のパッケージは、「底壁および周壁を有するとともに上方に開口を有する下方容器」と「中空の円錐状で下方に開口を有する上方コーン部材」と「上方コーン部材と下方容器とを連結する連結部材」を備える。そして、上方コーン部材は、頂部を上に向けた状態で、裾部が下方容器の開口の外径よりも外側に位置するように、連結部材で下方容器に連結されている。
【発明の効果】
【０００６】
上記構成を備えた本発明のパッケージは、上方コーン部材と下方容器を組み合わせた場合に、クリスマスツリーのごとき外観を構成する。したがって、このパッケージに菓子等を入れた状態で店頭その他適宜の場所に陳列することで、クリスマスの雰囲気を盛り上げるとともに、販売促進に繋げることができる。
【図面の簡単な説明】
【０００７】
【図１】本発明の一実施形態に係るパッケージを示す斜視図。
【図２】図１のパッケージの分解斜視図。
【発明を実施するための形態】
【０００８】
本発明の一実施形態を添付の図面を参照して、以下に説明する。図１は、本発明の一実施形態に係るパッケージ１を示す斜視図であり、その構造を説明するために、図２に分解斜視図を示している。
なお、図１では、パッケージ１の構造を分かり易く示すために、上方コーン部材２０を透明体として描いているが、実際の上方コーン部材２０は、透明であっても不透明であってもよい。
【０００９】
パッケージ１の下方容器１０は、底壁および周壁を有するとともに上方に開口１５を有するバケツ状の容器である。一方、上方コーン部材２０は、中空の円錐状で下方に開口２５を有している。そして、連結部材３０を用いて、上方コーン部材２０と下方容器１０とが連結される。このとき、上方コーン部材２０は、頂部２１を上に向けた状態で、裾部２２が下方容器の開口１５の外径よりも外側に位置するように、連結部材３０で下方容器１０に連結される。その結果、パッケージ１は、図１に示したように、クリスマスツリー状の外観を構成する。
【００１０】
したがって、このパッケージ１に菓子等を入れた状態で店頭その他適宜の場所に陳列することで、クリスマスの雰囲気を盛り上げるとともに、販売促進に繋げることができる。
【００１１】
＜連結部材３０の構成＞
連結部材３０は、上方コーン部材２０と下方容器１０を連結できるものであれば、その具体的な態様は問わない。図示した例では、連結部材３０は、ドーナツのようなリング状に形成されていて、その外周縁を上方コーン部材２０の下端縁に、その内周縁を下方容器１０の上端縁に、それぞれ適宜の手段で固定する。例えば、粘着テープ、接着剤、あるいは、適宜の嵌合構造を必要箇所に設ける等である。
例えば、別例の連結部材３０として、一枚の円板状プレートを採用してもよい（図示せず）。円板状プレートの内方位置に、下方容器１０の上端縁に沿って（つまり、開口１５に沿って）複数の切り起こし部を形成し、これを介して、粘着テープや接着剤等で、下方容器１０を連結部材３０に固定してもよい。
【００１２】
＜絵柄＞
図示はしていないが、本発明のパッケージにおいては、上方コーン部材２０および下方容器１０の少なくとも一方の外周面に所定の絵柄を表示することが好ましい。例えば、サンタクロースや、キャラクター等を用いることで、クリスマスの雰囲気を盛り上げる効果や販売促進効果を、より一層高めることができる。
【００１３】
＜サウンドスティック５０＞
図示した実施形態においては、上方コーン部材の頂部２１が挿通孔２１とされていて、ここにサウンドスティック５０（図１参照）が挿通保持されている。サウンドスティック５０は、棒状の笛部５１を貫通孔２１に上方から挿通した状態で、上方コーン部材２０に保持される。
サウンドスティック５０は、それ自体の構造は一般的に知られたものであり、細長い棒状の笛部５１と、当該笛部よりも大径の頭部５２とを有している。棒状の笛部５１の内部には、往復移動可能なリード体５１ａが配置されている。リード体５１ａは、ハーモニカのリードと同じ原理で、その内部を空気が流れることで音を発生する一般的に知られた構造を有する。サウンドスティック５０を振ると、棒状の笛部５１の内部に配置したリード体５１ａが往復移動して音を鳴らす。
つまり、このパッケージ１を購入した消費者は、サウンドスティック５０をパッケージから取り外して、音の鳴るオモチャとして使用することができる。このようなオモチャが付属していることで、子供の興味を引き、販売促進効果を高めることができる。
【００１４】
サウンドスティック５０の頭部５２は、図示した実施形態では星形を成しているが、これに限らず任意の形態を採用することができる、頭部５０は、棒状の笛部５１よりも大径であり、したがって、サウンドスティック５０（の笛部５１）を挿通孔２１に挿通した際に、頭部５０は、挿通孔２１を通過できず、ツリーの頂点に位置することとなり、よりクリスマスツリーらしい外観を提供できる。
【００１５】
なお、本発明において、サウンドスティックは任意の構成要素であって、これを省略したパッケージとしてもよい。また、パッケージ１の大きさは任意であるが、例えば、下のように構成する。
（Ａ）サウンドスティックを備える場合：
全高 約６８０ｍｍ、上方コーン部材の最大径 約２７５ｍｍ
（Ｂ）サウンドスティックを備えない場合：
全高 約４３０ｍｍ、上方コーン部材の最大径 約２１５ｍｍ
【００１６】
＜外装フィルム＞
上述の通り、サウンドスティック５０は、頭部５０をクリスマスツリーの頂点に位置させた状態で、挿通孔２１に挿通して保持されている。したがって、これを積極的に外部から固定する意味で、外装フィルム（図示せず）でパッケージを覆ってもよい。外装フィルムは、サウンドスティック５０を外部から固定するだけでなく、内部に収容された菓子等が未開封であることを保証できるので、消費者が安心して購入することができる（購買意欲を減じることがない）。
【符号の説明】
【００１７】
１  パッケージ
１０  下方容器
１５  開口
２０  上方コーン部材
２１  頂部（挿通孔）
２２  裾部
２５  開口
３０  連結部材
５０  サウンドスティック
５１  笛部
５１ａ  リード体
５２  頭部
【図１】
2019218080.tif 000003
【図２】
2019218080.tif 000004